(57)【特許請求の範囲】
【請求項１】
本体内に設置した室外熱交換器の背面側にリアガードが設けられた室外機において、
前記リアガードは、網状に形成された複数本の縦棧及び横棧と、前記縦棧の一方の側に設けられて前記横棧の一端が固定された縦枠及び前記横棧の上部側に設けられて前記縦枠の上端部が固定された横枠とからなり、
前記縦枠を前記本体のサイドパネルにねじで固定すると共に、前記横棧の全部又は一部の他端を前記室外熱交換器の端板と前記本体のバックパネルとの間に挾持し、該バックパネルを前記端板にねじで固定して該リアガードを前記室外熱交換器の背面側に取付けたものであり、
前記リアガードの横棧のバックパネル側の端部に、コ字状に屈曲した取付部を設けると共に、前記縦枠側の端部にＬ字状に屈曲した固定部を設けたことを特徴とする室外機。
【請求項２】
前記縦棧と横棧を鉄線で構成し、前記縦枠と横枠を板金材料で構成したことを特徴とする請求項１記載の室外機。
【請求項３】
前記バックパネルに、背面側に断面コ字状に突出し、前記リアガードの横棧の取付部に嵌合する複数のリアガード押え部を設けたことを特徴とする請求項１又は２記載の室外機。
【請求項４】
前記請求項１〜３のいずれか一項に記載の室外機を備えたことを特徴とする空気調和装置。
【発明の詳細な説明】
【技術分野】
【０００１】
本発明は、室外機及びこれを備えた空気調和装置に係り、より詳しくは、室外機の背面に室外熱交換器に対向して設けられたリアガードの取付構造に関するものである。
【背景技術】
【０００２】
従来の室外熱交換器の外側にリアガードを設けた冷凍空調装置の室外機に、リアガードは複数本の横棧と複数本の縦棧とを有し、複数本の横棧の一部の一方の端部を本体の係止部に係止させ、複数本の横棧の一部の他方の端部を室外熱交換器の端部の孔部に差込み、サイドパネルで押え込んで取付けるようにしたものがある（例えば、特許文献１参照）。
【先行技術文献】
【特許文献】
【０００３】
【特許文献１】特開２００９−１６８２６０号公報（第３−７頁、図１、２）
【発明の概要】
【発明が解決しようとする課題】
【０００４】
特許文献１の室外機のリアガードの取付構造は、複数本のリアガードを、複数本の横棧の一部の一方の端部を本体の係止部に係止させ、複数本の横棧の一部の他方の端部を室外熱交換器の孔部に差込み、サイドパネルで押え込んで固定するようになっているため、取付けがきわめて面倒で作業効率が悪いという問題があった。
【０００５】
また、本体の係止部に係止させ、また室外熱交換器の孔部に差し込む横棧以外の横棧の端部は本体等に固定されていないため、引っ張り力に耐えられず変形するおそれがあり、強度不足が懸念される。
さらに、複数本の横棧の一部が固定されているだけなので、変形による室外熱交換器の露出や横棧の突出により、安全性に問題があった。
【０００６】
本発明は、上記の課題を解決するためになされたもので、リアガード取付けの作業性を高めることができ、また、リアガードを構成する横棧は変形しにくく、その上工具を使用しなければリアガードを取外すことができない安全性にすぐれた室外機及びこの室外機を備えた空気調和装置を提供することを目的としたものである。
【課題を解決するための手段】
【０００７】
本発明は、本体内に設置した室外熱交換器の背面側にリアガードが設けられた室外機において、前記リアガードは、網状に形成された複数本の縦棧及び横棧と、前記縦棧の一方の側に設けられて前記横棧の一端が固定された縦枠及び前記横棧の上部側に設けられて前記縦枠の上端部が固定された横枠とからなり、前記縦枠を前記本体のサイドパネルにねじで固定すると共に、前記横棧の全部又は一部の他端を前記室外熱交換器の端板と前記本体のバックパネルとの間に挾持し、該バックパネルを前記端板にねじで固定して該リアガードを前記室外熱交換器の背面側に取付けたものであり、前記リアガードの横棧のバックパネル側の端部に、コ字状に屈曲した取付部を設けると共に、前記縦枠側の端部にＬ字状に屈曲した固定部を設けたことを特徴とするものである。
【０００８】
また、本発明に係る空気調和装置は、上記の室外機を備えたものである。
【発明の効果】
【０００９】
本発明によれば、リアガードを取付ける作業性を高めることができ、また、工具を用いなければリアガードを取外すことができないので、安全で室外熱交換器を確実に保護することのできる室外機及びこれを備えた空気調和装置を得ることができる。
【図面の簡単な説明】
【００１０】
【図１】本発明の一実施の形態に係る室外機の背面斜視図である。
【図２】図１の一部を分解した背面斜視図である。
【図３】図１のフロントパネルやサービスパネルを取外した状態を示す前面斜視図である。
【図４】図３のモータサポートの斜視図である。
【図５】フロントパネルの斜視図である。
【図６】バックパネルの斜視図である。
【図７】サイドパネルの斜視図である。
【図８】図１のリアガードの正面図である。
【図９】図８の斜視図である。
【図１０】図８のリアガードの縦棧の上部の説明図である。
【図１１】図８のリアガードの横棧の両端部の説明図である。
【図１２】リアガードの室外機本体への取付手順の一例の説明図である。
【図１３】リアガードの横棧の一端の固定手順を示す説明図である。
【図１４】リアガードのバックパネルへの他の取付手順を示す説明図である。
【発明を実施するための形態】
【００１１】
図１は本発明の一実施の形態に係る室外機の背面斜視図、図２は図１の一部を分解した背面斜視図、図３は図１のフロントパネルやサービスパネルを取外した状態を示す前面斜視図である。
図１〜図３において、室外機本体１の内部には、床板１０上に立設された仕切り板２の一方の側に機械室３が設けられており、他方の側には送風機室４が設けられている。
【００１２】
そして、機械室３には圧縮機５や冷媒配管６などが設置されており、送風機室４に立設されたモータサポート７には、送風機８の駆動モータ８ａが取付けられている。９は機械室３の背面から送風機室４の背面及び側面にかけて設置されたほぼＬ字状の室外熱交換器で、機械室３側の端部に設けた平面視ほぼコ字状の端板９ａの外側の上下方向には、ねじ孔を有し、Ｌ字状に折り曲げられた複数のバックパネル１３の取付片９ｂが設けられている（図１２参照）。
【００１３】
送風機８の駆動モータ８ａを取付けるモータサポート７は、図４に示すように、上下方向のほぼ中央部に駆動モータ８ａが取付けられる取付け穴７ｂが設けられた本体７ａと、その上端部が内側（送風機室４側）に折り曲げられた天面板７ｃと、下端部に底板１０にねじで固定するためのねじ挿通穴７ｅを有する底面部７ｄとが設けられている。また、本体７ａの上端部の天面板７ｃと反対側には、室外熱交換器９の上端部が取付けられ、後述のリアガード２０の上端部が係止する係合部７ｇとねじ孔７ｈ（図１２参照）とを有するほぼＬ字状の係止板７ｆが設けられている。
【００１４】
室外機本体１の外郭は、底板１０、フロントパネル１１、サービスパネル１２、バックパネル１３、サイドパネル１４及びトップパネル１５によって構成されている。
室外機本体１の送風機室４の前面側を覆うフロントパネル１１は、図５に示すように、空気の吹出し口１１ａが設けられており、フロントパネル１１を室外機本体１に装着したときは、この吹出し口１１ａが送風機室４の送風機８と対向する。なお、図示してないが、この吹出し口１１ａにはグリルが取付けられる。
そして、機械室３の前面及び側面は、一端がフロントパネル１１に連結されたほぼＬ字状のサービスパネル１２によって覆われる。
【００１５】
バックパネル１３は、図６に示すように、縁部の上下方向に固定片１３ｂが設けられた背面部１３ａと、その上部がＬ字状に折り曲げられた側面部１３ｃとからなり、この側面部１３ｃにはサービスパネル１２が連結される。１３ｄは背面部１３ａの縁部に形成された固定片１３ｂの上下方向において、背面側に突設されて後述のリアガード２０の横棧２２の一端が嵌合される断面ほぼ凸状の複数のリアガード押え部、１３ｅは同じく固定片１３ｂの上下方向に設けられた複数のねじ挿通孔である（図１２、図１３参照）。
【００１６】
このようにして組み込まれたサービスパネル１２と、バックパネル１３とにより形成された平面ほぼコ字状の空間部が、仕切り板２で仕切られて機械室３を形成する。このサービスパネル１２は着脱可能に構成されており、室外機の保守・点検の際に取り外される。
【００１７】
サイドパネル１４は、図７に示すように、側面部１４ａと背面部１４ｂとによりＬ字状形成されており、側面部１４ａの前縁部はフロントパネル１１に連結される。そして、側面部１４ａと背面部１４ｂには多数の空気吸込み口１４ｃが設けられており、また、背面部１４ｂの縁部の上下方向には後述のリアガード２０の縦枠２３が固定される複数のねじ孔１４ｄが設けられている。
【００１８】
ところで、室外機本体１の背面側には、バックパネル１３の背面部とサイドパネル１４の背面部１４ｂとの間に大きな空間部が形成され、室外熱交換器９が露出して空気の吸込み口となっており、この空間部に露出した室外熱交換器９の背面側には、リアガード２０が設けられている。
【００１９】
このリアガード２０は文字通り室外熱交換器９を保護するためのもので、網目より大きい物体が室外熱交換器９に当るのを防止する。また、室外機の意匠性の向上に寄与し、さらに、リアガード２０の近傍に板厚の薄い多数のフィンを備えた室外熱交換器９が存在することの注意を喚起する効果がある。なお、僅かではあるが、室外機本体１の外郭の強度を向上させる効果もある。
【００２０】
リアガード２０の全体構成を図８、図９に示す。このリアガード２０は、例えば鉄線からなり、交点を溶接等で接合して網状に形成された各複数本の縦棧２１及び横棧２２と、板金材料からなり、縦棧２１の一方の側に設けられてその背面側に横棧２２の一端が溶接等により接合された縦枠２３と、横棧２２の上端部側に設けられて、背面側に縦棧２１の上端部が溶接等によって接合された横枠２４とからなっている。
【００２１】
そして、縦枠２３にはサイドパネル１４の背面部１４ｂに設けたねじ孔１４ｄに対応してねじ挿通孔を有する取付片２３ａが設けられており、また、横枠２４の上面にはモータサポート７の上端部に設けた係止板７ｆの係合部７ｇに係止する係止孔２４ａが設けられており、前面側にはねじ孔７ｈに対応してねじ挿通孔２４ｂが設けられている。
【００２２】
実施例では、縦棧２１が５本、縦枠２３が１本、横棧２２が５本、横枠２４が１本で、縦棧２１及び横棧２２を構成する鉄線の直径は２．５ｍｍ、縦枠２３の板厚は１．２ｍｍ、横枠２４の板厚は０．８ｍｍであり、縦棧２１の間隔は約１３０ｍｍ、横棧２２の間隔は約２５０ｍｍであった。なお、縦棧２１と横棧２２及び縦枠２３と横枠２４とは、耐候性を考慮して、例えばビニールによる樹脂コーティングを施してある。
【００２３】
図１０はリアガード２０の縦棧２１の上端部の構造を示すもので、上部を内側（図１の室外熱交換器９側）に折り曲げたのち、直線部２１ａと平行に折り曲げて延設されたほぼＬ字状の固定部２１ｂが形成されており、この固定部２１ｂは溶接等により横枠２４の背面側に接合される（なお、以下の説明では、横棧２２の場合も含めて、折り曲げ部を屈曲部と記すことがある）。
【００２４】
図１１はリアガード２０の横棧２２の端部構造を示すもので、図１１（ａ）は横棧２２の左端部（図１のバックパネル１３側）を、図１１（ｂ）は右端部（縦枠２３側）を示す。
横棧２２の左端部は、内側（図１の室外熱交換器９側）に折り曲げたのち直線部２２ａと平行に延設され、再び外側に折り曲げられてほぼコ字状の取付部２２ｂが形成されている。なお、最下端部の横棧２２の左端部は、内側に折り曲げられたのち直線部２２ａと平行に延設されて、ねじ止め部２２ｃが形成されている（図１２参照）。
【００２５】
また、右端部には、内側に折り曲げられたのち直線部２２ａと平行に延設されたほぼＬ字状の固定部２２ｄが形成されており、この固定部２２ｄは縦枠２３の背面側に溶接等により接合される。なお、取付部２２ｂ及び固定部２２ｄの屈曲部の曲げしろは、縦枠２１の固定部２１ｂの屈曲部の曲げしろとほぼ等しくなっている。このように、横棧２２の両端部に屈曲部を設けたのは、横棧２２に弾性を持たせるためである。
【００２６】
次に、リアガード２０を含む外郭の室内機本体１への取付手順の一例について説明する。なお、リアガード２０は図８、図９に示すように、あらかじめ組立てられているものとする。
先ず、図１２に示すように、室外熱交換器９の上端部に取付けられたモータサポート７の係止板７ｆの上に、リアガード２０の横枠２４を載置し、その係止穴２４ａを係止板７ｆの係合部７ｇに係止させると共に、そのねじ孔７ｈにねじ挿通穴２４ｂに挿通したねじを螺入して固定する。
また、最下部の横棧２２の左端部に設けたねじ止め部２２ｃを、室外熱交換器９の端板９ａの下部に設けた取付片９ｂにねじ止めする。
【００２７】
次に、図１２、図１３に示すように、横棧２２の取付部２２ｂを室外熱交換器９の端板９ａに当接し、バックパネル１３の固定片１３ｃに設けたリアガード押え部１３ｄを取付部２２ｂに嵌合し、ねじ挿通孔１３ｅに挿通したねじを取付片９ｂのねじ孔９ｃに螺入して、バックパネル１３を室外熱交換器９の端板９ａに固定する。これにより、横棧２２の左端部は端板９ａとバックパネル１３との間に挟持され、固定される。なお、リアガード２０の複数の横棧２２の端板９ａへの固定は全部ではなく、一部であってもよい。
【００２８】
ついで、サイドパネル１４の下端部を底板１０にねじ止めして固定し、リアガード２０の縦枠２３に設けた取付片２３ａのねじ挿通孔に挿通したねじを、サイドパネル１４の背面部１４ｂに設けたねじ孔１４ｄに螺入して固定する（図２参照）。
そして、送風機室４の前面側にフロントパネル１１を配置して、その下端部を底板１０にねじ止めすると共に、側縁部をサイドパネル１４にねじ止めする。
【００２９】
この状態で、フロントパネル１１、バックパネル１３、サイドパネル１４の上端部及びリアガード２０の横棧２４にトップパネル１５を嵌合してねじ止めし、最後に機械室３の前面から側面にかけてサービスパネル１２を配置し、フロントパネル１１、バックパネル１３等に着脱可能にねじ止めする。
【００３０】
以上、室外機本体１の外郭の取付手順の一例について説明したが、これに限定するものではなく、例えば、図１４に示すように、リアガード２０をあらかじめ溶接等によりバックパネル１３に取付けたのち、室外熱交換器９の背面側に取付ける等、他の手順によってもよい。
【００３１】
上記のように構成した室外機において、室外熱交換器９は冷凍サイクルを流れる冷媒と空気との熱交換を行い、冷房運転時には凝縮器、暖房運転時には蒸発器として作用し、送風機８は室外熱交換器９に送風して熱交換を促進する。また、圧縮機５は低温、低圧の冷媒を高温、高圧のガス冷媒に圧縮する。
このような室外機を、冷媒配管により室内機と接続することにより、室内機から冷風又は温風を吹き出して空気調和を行う。
【００３２】
上記のように構成した本発明によれば、リアガード２０は、網状に形成した線材からなる縦棧２１及び横棧２２と、その一方の側縁部と上縁部に設けた板金材料からなる縦枠２３及び横枠２４とで構成され、横棧２２の一部又は全部の一端を室外熱交換器９の端板９ａとバックパネル１３との間に挟持して固定すると共に、縦枠２３をねじによりサイドパネル１４に固定するようにしたので、リアガード２０を室外熱交換器９の背面に確実に取付けることができ、その上、工具を用いて少なくともバックパネル１３を外さなければ取外すことができないので、室外熱交換器９を確実に保護することができる。
【００３３】
また、リアガード２０を構成する横棧２２は、両端部に屈曲部からなる取付部２２ｂ及び固定部２２ｄを設けて弾性を付与したので、引っ張り等の外力が加えられても変形しにくく、このため室外熱交換器９の背面が大きく露出することなく、安全である。
さらに、横棧２２の一方の端部に設けたほぼコ字状の取付部２２ｂを、室外熱交換器９の端板９ａと、バックパネル１３のリアガード押え部１３ｄとにより挟持し固定するようにしたので、リアガード２０の取付けが容易で作業性を向上することができ、その上横棧２２が抜け出すこともない。
【符号の説明】
【００３４】
１  室外機本体、７  モータサポート、９  室外熱交換器、９ａ  端板、９ｂ  取付片、１０  底板、１１  フロントパネル、１２  サービスパネル、１３  バックパネル、１３ｄ  リアガード押え部、１３ｅ  ねじ挿通孔、１４  サイドパネル、１４ｄ  ねじ孔、１５  トップパネル、２０  リアガード、２１  縦棧、２１ｂ  固定部、２２  横棧、２２ｂ  取付部、２２ｄ  固定部、２３  縦枠、２３ａ  取付片、２４  横枠。
【図１】
0005409537.tif 000002
【図２】
0005409537.tif 000003
【図３】
0005409537.tif 000004
【図４】
0005409537.tif 000005
【図５】
0005409537.tif 000006
【図６】
0005409537.tif 000007
【図７】
0005409537.tif 000008
【図８】
0005409537.tif 000009
【図９】
0005409537.tif 000010
【図１０】
0005409537.tif 000011
【図１１】
0005409537.tif 000012
【図１２】
0005409537.tif 000013
【図１３】
0005409537.tif 000014
【図１４】
0005409537.tif 000015